(57)【要約】【課題】インクジェットプリンタ等の電子機器において、シャーシに保持された回路基板からの不要輻射を軽減させると共に、組み立て容易なものとして製造コストを低くする。【解決手段】回路基板８は、シャーシ１０に取り付けられたシャーシシールド板１１によって覆われるように取り付けられている。回路基板８は、シャーシ１０にシャーシシールド板１１が取り付けられている状態で、シャーシ１０とシャーシシールド板１１との間に挿入される。回路基板８を挿入すると、回路基板８の接地電極に接続された係合爪８ａと係合孔１１ａが係合する。そして、ねじ１２を螺合することにより、シャーシシールド板１１、回路基板８、及びシャーシ１０が共締め固定される。回路基板８を挿入した後に１個のねじ１２を螺合するだけで回路基板８を容易に取り付けることができ、回路基板８は接地電極に接続されたシャーシシールド板１１により覆われて不要輻射が軽減される。【選択図】図３
2007175954.tif 000002
【特許請求の範囲】
【請求項１】
副走査方向に記録紙を搬送する記録紙搬送機構と、
副走査方向に直交する主走査方向が長手方向となるようにシャーシに固定されるシャフトと、
インクをノズルから吐出させて前記記録紙に画像を形成するプリントヘッドが搭載され、前記シャフトに摺動自在に嵌合され主走査方向に往復移動されるキャリアと、
前記キャリアに駆動力を与えてこのキャリアを主走査方向に往復移動させる駆動機構と、
前記シャーシに保持されており、前記記録紙搬送機構及び駆動機構の動作を制御する制御回路が搭載された回路基板とを備えたインクジェットプリンタにおいて、
前記シャーシに、前記回路基板を覆うように着脱自在に取り付けられたシャーシシールド板をさらに備え、
前記シャーシは、前記回路基板を保持する部位にリブ状に突設されたスライドガイド部と、前記シャーシシールド板が取り付けられる部位に設けられた孔部とを有しており、
前記回路基板は、前記スライドガイド部と摺動可能に形成された溝部と、接地電極に接続された金属部材からなる係合爪とを有しており、
前記シャーシシールド板は、前記係合爪と係合する係合孔と、前記シャーシに引っ掛けられるフックを有しており、このフックが前記孔部に引っ掛けられることによりシャーシに脱落しないように取り付けられており、
前記回路基板は、前記シャーシにシャーシシールド板が取り付けられている状態で、前記スライドガイド部と前記溝部とを摺動させながら前記シャーシとシャーシシールド板との間に挿入され、前記係合爪が係合孔に係合すると共に、前記シャーシシールド板、回路基板、及びシャーシが１個のねじにより共締め固定されることにより保持されていることを特徴とするインクジェットプリンタ。
【請求項２】
シャーシに保持された回路基板を備えた電子機器であって、
前記シャーシに、前記回路基板を覆うように着脱自在に取り付けられたシャーシシールド板をさらに備え、
前記回路基板は、接地電極に接続された金属部材からなる係合爪を有しており、
前記シャーシシールド板は、前記係合爪と係合する係合孔を有しており、
前記回路基板は、前記シャーシにシャーシシールド板が取り付けられている状態で、前記シャーシとシャーシシールド板との間に挿入され、前記係合爪が係合孔に係合すると共に、前記シャーシシールド板、回路基板、及びシャーシが１個のねじにより固定されることにより保持されていることを特徴とする電子機器。
【発明の詳細な説明】
【技術分野】
【０００１】
本発明は、シャーシに保持された回路基板を有するインクジェットプリンタ及び電子機器に関する。
【背景技術】
【０００２】
従来より、例えばインクジェットプリンタ等の電子機器として、制御回路等の電子回路が搭載された回路基板が電子機器のシャーシに保持された状態で格納されたものが知られている。このような回路基板は、動作時に電磁波を外部に放射するため、この不要輻射の強度が大きいと、この電子機器の他の部位に設けられた電子部品や、周囲の他の電子機器等に悪影響を及ぼしてしまう。従って、このような電子機器においては、不要輻射の対策が必要とされている。
【０００３】
このような不要輻射による悪影響を防ぐため、従来、不要輻射が発生する部位を特定し、その部位をシールド板により覆う等の対策が行われている。しかしながら、このようにシャーシに保持された回路基板にシールド板を取り付けた構造では、シャーシに回路基板を取り付けた上でさらにシールド板を取り付けるため、多箇所のねじ止め作業が必要となる。その結果、電子機器の組立作業に時間がかかり、電子機器の製造コストが高くなってしまうという問題が生じる。
【０００４】
なお、従来の不要輻射対策がなされた電子機器としては、例えば特許文献１に記載されているように、シャーシに形成した凹部内に配設された回路基板の上部を別体の蓋で覆ったものが知られている。また、特許文献２には、回路基板上のアース部にばね性を有する接続部材を設け、この接続部材がシャーシと当接した状態となるように実装したものが記載されている。さらに、特許文献３には、ノイズを発生する作動装置を筐体のパネルと機器のシャーシとに囲まれるようにしたオーディオ・ビデオ複合機器が記載されている。しかしながら、これらの特許文献１乃至特許文献３には、上述の問題点を解決する手段については開示されていない。
【特許文献１】実開平２−１３６３９５号公報
【特許文献２】特開２０００−１５６５８８号公報
【特許文献３】特開２００４−１３４０１７号公報
【発明の開示】
【発明が解決しようとする課題】
【０００５】
本発明は、上記問題点を鑑みてなされたものであり、シャーシに保持された回路基板からの不要輻射を軽減可能であると共に、組み立てが容易で製造コストが低いインクジェットプリンタ及び電子機器を提供することを目的とする。
【課題を解決するための手段】
【０００６】
上記目的を達成するため請求項１の発明は、副走査方向に記録紙を搬送する記録紙搬送機構と、副走査方向に直交する主走査方向が長手方向となるようにシャーシに固定されるシャフトと、インクをノズルから吐出させて前記記録紙に画像を形成するプリントヘッドが搭載され、前記シャフトに摺動自在に嵌合され主走査方向に往復移動されるキャリアと、前記キャリアに駆動力を与えてこのキャリアを主走査方向に往復移動させる駆動機構と、前記シャーシに保持されており、前記記録紙搬送機構及び駆動機構の動作を制御する制御回路が搭載された回路基板とを備えたインクジェットプリンタにおいて、前記シャーシに、前記回路基板を覆うように着脱自在に取り付けられたシャーシシールド板をさらに備え、前記シャーシは、前記回路基板を保持する部位にリブ状に突設されたスライドガイド部と、前記シャーシシールド板が取り付けられる部位に設けられた孔部とを有しており、前記回路基板は、前記スライドガイド部と摺動可能に形成された溝部と、接地電極に接続された金属部材からなる係合爪とを有しており、前記シャーシシールド板は、前記係合爪と係合する係合孔と、前記シャーシに引っ掛けられるフックを有しており、このフックが前記孔部に引っ掛けられることによりシャーシに脱落しないように取り付けられており、前記回路基板は、前記シャーシにシャーシシールド板が取り付けられている状態で、前記スライドガイド部と前記溝部とを摺動させながら前記シャーシとシャーシシールド板との間に挿入され、前記係合爪が係合孔に係合すると共に、前記シャーシシールド板、回路基板、及びシャーシが１個のねじにより共締め固定されることにより保持されているものである。
【０００７】
請求項２の発明は、シャーシに保持された回路基板を備えた電子機器であって、前記シャーシに、前記回路基板を覆うように着脱自在に取り付けられたシャーシシールド板をさらに備え、前記回路基板は、接地電極に接続された金属部材からなる係合爪を有しており、前記シャーシシールド板は、前記係合爪と係合する係合孔を有しており、前記回路基板は、前記シャーシにシャーシシールド板が取り付けられている状態で、前記シャーシとシャーシシールド板との間に挿入され、前記係合爪が係合孔に係合すると共に、前記シャーシシールド板、回路基板、及びシャーシが１個のねじにより固定されることにより保持されているものである。
【発明の効果】
【０００８】
請求項１の発明によれば、回路基板が、シャーシにシャーシシールド板が取り付けられている状態でシャーシとシャーシシールド板との間に挿入され、係合爪が係合孔に係合すると共に、前記シャーシシールド板、回路基板、及びシャーシが１個のねじにより共締め固定されることにより保持されているので、回路基板を、シャーシシールド板に覆われるようにしてシャーシに取り付ける作業を容易に行うことが可能となる。従って、回路基板からの不要輻射を軽減させることが可能となるとともに、インクジェットプリンタの製造コストを低くすることが可能となる。また、回路基板は、シャーシのスライドガイド部と回路基板の溝部とを摺動させながらシャーシとシャーシシールド板との間に挿入されるので、より容易に回路基板をシャーシに取り付ける作業を実施することが可能となる。さらに、シャーシシールド板は、フックを有しており、このフックがシャーシの孔部に引っ掛けられることによりシャーシに脱落しないように取り付けられているので、シャーシシールド板をシャーシに取り付けるために特別な加工等は必要なく、よりインクジェットプリンタの製造コストを低くすることが可能となる。
【０００９】
請求項２の発明によれば、回路基板が、シャーシにシャーシシールド板が取り付けられている状態でシャーシとシャーシシールド板との間に挿入され、係合爪が係合孔に係合すると共に、前記シャーシシールド板、回路基板、及びシャーシが１個のねじにより共締め固定されることにより保持されているので、上述と同様に、回路基板からの不要輻射を軽減させることが可能となるとともに、電子機器の製造コストを低くすることが可能となる。
【発明を実施するための最良の形態】
【００１０】
以下、本発明の一実施形態について図面を参照して説明する。図１は、本実施形態に係るインクジェットプリンタを示す。このインクジェットプリンタ１は、インクを吐出するプリントヘッド３ａを有するインクカートリッジ３が搭載されたキャリア２を、主走査方向（図に矢印Ａで示す）に往復移動させることにより、主走査方向と直交する副走査方向（図に矢印Ｂで示す）に搬送される記録紙Ｐに画像を形成するものである。このインクジェットプリンタ１は、シャーシ１０の上部後方に、プリントされる記録紙Ｐを保持するための給紙トレイ２０を有しており、また、シャーシ１０の前面下方に、プリントされた記録紙Ｐを排出するための排紙トレイ３０を有している。
【００１１】
このインクジェットプリンタ１のシャーシ１０の内部には、キャリア２と、キャリア２に搭載されるインクカートリッジ３と、キャリア２の背面側に主走査方向が長手方向となるように配されるシャフト４と、記録紙Ｐを搬送する記録紙搬送機構５と、キャリア２に駆動力を与えて往復移動させる駆動機構６と、キャリア２の主走査方向の位置を検出するために用いられてシャーシ１０に主走査方向に沿って配されるエンコーダスケール７と、インクジェットプリンタ１の種々の動作を制御するための制御回路が搭載された回路基板８とが設けられている。このインクジェットプリンタ１は、例えば外部のパーソナルコンピュータ（図示せず）等と接続されており、そのパーソナルコンピュータ等から送信されるデータ及びコマンド等に基づいて、記録紙Ｐに画像を形成するものである。
【００１２】
キャリア２は、インクカートリッジ３を挿脱自在に支持するものである。本実施形態において、インクカートリッジ３は、ブラックインクが封入されたものと、例えばシアン、マゼンタ、イエローの３色等のカラーインクが封入されたものとの２つがキャリア２に搭載されている。すなわち、このインクジェットプリンタ１は、記録紙Ｐにカラー画像を形成可能に構成されているものである。キャリア２に搭載されるインクカートリッジ３の構成はこれに限られるものではなく、例えばブラックインクとカラーインクが１つにまとまったものであったり、カラーインクも各色毎に別個に封入されているものであったりしてもよい。また、このインクジェットプリンタ１は、キャリア２にブラックインクが封入されたインクカートリッジ３のみが搭載されており、グレースケール等の画像を形成するようなものであってもよい。
【００１３】
キャリア２は、シャフト４に摺動自在に嵌合され、後述するように駆動機構６のベルト６ａの一部分に接続されており、シャフト４と摺動しながら主走査方向に移動可能に配置されている。キャリア２にはフォトカプラ（図示せず）が搭載されており、このフォトカプラが、所定の解像度を有するエンコーダスケール７上を走査することにより、キャリア２の主走査方向の位置を検出可能となるように構成されている。
【００１４】
駆動機構６は、例えば、インクジェットプリンタ１のシャーシ１０に主走査方向に沿って配される環状のベルト６ａと、このベルト６ａを回動させるためのＤＣモータ６ｂとを有しているものである。ベルト６ａの一部分は、キャリア２の後方に接続されている。駆動機構６は、ＤＣモータ６ｂによってベルト６ａを回動させることにより、キャリア２に駆動力を与えて主走査方向に往復移動させる。なお、駆動機構６はこの構成に限られるものではない。
【００１５】
本実施形態において、図に示すように、回路基板８は、シャーシ１０の背面側に保持されている。回路基板８に搭載されている制御回路は、例えば外部のパーソナルコンピュータ等で動作するデバイスドライバ等のソフトウェア等により制御されるものであり、記録紙搬送機構５、駆動機構６、及びプリントヘッド３ａ等を制御する。なお、この制御回路は、例えばインクジェットプリンタ１にユーザにより操作可能に設けられるような操作ボタン（図示せず）等がユーザ等により操作されることに応じて、所定の機能を動作させるように構成されていてもよい。
【００１６】
図２（ａ）、（ｂ）及び図３（ａ）、（ｂ）は、このインクジェットプリンタ１のシャーシ１０の背面側に回路基板８を取り付けた状態を示す。回路基板８は、シャーシ１０とシャーシシールド板１１によって覆われるように取り付けられている。回路基板８、シャーシ１０、及びシャーシシールド板１１は、ねじ１２により共締めされて固定されている。
【００１７】
図に示すように、回路基板８の前面には、後述するようにシャーシシールド板１１の係合孔１１ａと係合する２つの係合爪８ａと、フラットケーブル８ｅが接続され外部の機器と通信するためのコネクタ８ｂが設けられている。係合爪８ａは、金属板により形成されており、一端が回路基板８上の制御回路の接地電極に接続されている。係合爪８ａの他端は、例えば先端が巻かれるように折り曲げられており、その部位がより折り曲げられたときに反発するようなばね性を有するように成形されている。コネクタ８ｂには、例えばフラットケーブル８ｅが接続されている。このフラットケーブル８ｅは例えばキャリア２に接続されており、回路基板８の制御回路がプリントヘッド３ａのインク吐出動作を制御可能となるように構成されている。この回路基板８には、後述するようにねじ１２が貫通する穴部８ｃが設けられている。回路基板８の裏面には、後述するように、シャーシ１０の回路基板を保持する部位の２箇所にリブ状に突設されたスライドガイド部１０ｂと摺動可能となるように形成された溝部８ｄが形成されている。回路基板８は、この溝部８ｄにスライドガイド部１０ｂが嵌まり込み、係合爪８ａが係合孔１１ａに係合した状態で、シャーシ１２に保持されている。なお、係合爪８ａの数及び形状や溝部８ｄの数は、これに限られるものではない。
【００１８】
シャーシシールド板１１は、例えば金属板を板金加工することにより成形されたものである。シャーシシールド板１１の前面には、後述するように回路基板８と係合する２ヶ所の係合孔１１ａが設けられている。また、シャーシシールド板１１の両側部及び下部には、シャーシ１０に引っ掛けられるように金属板を折り曲げて形成されたフック１１ｂが設けられている。シャーシシールド板１１は、図に示すように、３ヶ所のフック１１ｂがシャーシ１０のシャーシシールド板１１が取り付けられる部位に設けられている孔部１０ａに引っ掛かった状態となって係合することにより、ねじ１２により固定されていないときにもシャーシ１０から脱落しないように着脱自在に取り付けられている。なお、フック１１ｂの数及び形状等はこれに限られるものではない。
【００１９】
ねじ１２は、本実施形態において、シャーシシールド板１１及び回路基板８を貫通し、シャーシ１０に形成されているめねじ部（図示せず）に螺合されている。すなわち、ねじ１２がめねじ部に螺合されることにより、シャーシシールド板１１、回路基板８、及びシャーシ１０が共締め固定されている。なお、シャーシ１０及びシャーシシールド板１１の、ねじ１２に共締めされる部位近傍の回路基板８が配される側には、それぞれスペーサ１０ｃ，１１ｃが設けられている。このスペーサ１０ｃ，１１ｃが、それぞれ回路基板８の穴部８ｃの近傍に当接することにより、ねじ１２が螺合されたときにもシャーシ１０、シャーシシールド板１１、及び回路基板８が撓むことなく、ねじ１２による締結力をより確実に得られるように構成されている。
【００２０】
以下に、回路基板８をシャーシ１０に保持させるときの手順を図４を参照しながら説明する。先ず、図に示すように、シャーシ１０にシャーシシールド板１１を取り付ける。このとき、上述のように、シャーシシールド板１１のフック１１ｂがシャーシ１０の孔部１０ａに引っ掛けられ、シャーシ１０からシャーシシールド板１１が脱落しないようになっている。次に、このようにシャーシ１０にシャーシシールド板１１が取り付けられている状態で、回路基板８を、スライドガイド部１０ｂと溝部８ｄとを摺動させながら、シャーシ１０とシャーシシールド板１１との間の空間に挿入する。回路基板８を挿入すると、回路基板８の係合爪８ａとシャーシシールド板１１の係合孔１１ａの位置が一致したときに、係合爪８ａと係合孔１１ａが係合する。このとき、係合爪８ａのばね性により、係合爪８ａと係合孔１１ａとが確実に接触した状態となる。また、係合爪８ａと係合孔１１ａが係合するとき、ねじ１２を、シャーシシールド板１１、回路基板８、及びシャーシ１０を連通してシャーシ１０に螺合可能な状態となる。そして、この状態で、ねじ１２を締め付けることにより、シャーシシールド板１１、回路基板８、及びシャーシ１０が共締め固定される。これにより、回路基板８と、係合爪８ａが係合孔１１ａに係合し、シャーシシールド板１１により覆われた状態で、シャーシ１２に保持される。
【００２１】
本実施形態においては、回路基板８をシャーシシールド板１１に覆われるようにしてシャーシに取り付ける作業が、上述のように、シャーシシールド板１１とシャーシ１０との間に挿入され、１個のねじにより共締め固定することにより行われるので、回路基板８を、シャーシシールド板１１に覆われるようにしてシャーシ１０に取り付ける作業を容易に行うことが可能となり、インクジェットプリンタ１の製造コストを低くすることが可能となる。このとき、シャーシシールド板１１の係合孔１１ａに係合する係合爪８ａが接地電極に接続されているので、回路基板８からの不要輻射を確実に軽減させることが可能である。また、回路基板８は、シャーシ１０のスライドガイド部１０ｂと回路基板８の溝部８ｄとを摺動させながらシャーシ１０とシャーシシールド板１１との間に挿入されるので、より容易に回路基板８をシャーシ１０に取り付ける作業を実施することが可能となると共に、係合爪８ａを、より確実に係合孔１１ａに係合させることが可能となる。さらに、シャーシシールド板１１は、このフック１１ｂがシャーシ１０の孔部１０ａに引っ掛けられることによりシャーシ１０に脱落しないように取り付けられているので、シャーシシールド板１１をシャーシ１０に取り付けるために特別な加工等は必要なく、インクジェットプリンタ１の製造コストをより低くすることが可能となる。
【００２２】
なお、本発明は上記実施形態の構成に限定されるものではなく、発明の趣旨を変更しない範囲で適宜に種々の変形が可能である。例えば、シャーシシールド板１１は、フック１１ｂを有しておらず、例えば溶接等によりシャーシ１０に一体に取り付けられていてもよい。また、シャーシ１０には、スライドガイド部１０ｂが設けられていなくてもよい。そのような構成であっても、シャーシ１０とシャーシシールド板１１との間に回路基板８を挿入し、回路基板８の係合爪８ａがシャーシシールド板１１の係合孔１１ａと係合すると共に、１個のねじ１２によりシャーシシールド板１１、回路基板８、及びシャーシ１０が固定されるようにすることにより、インクジェットプリンタ１を、回路基板８からの不要輻射を軽減させることができ、組み立てが容易で製造コストが低いものにすることが可能となる。
【００２３】
また、本発明は、インクジェットプリンタ１のみならず、例えば電子写真方式の画像形成装置やテレビジョン受像機等、種々の電子機器に適用することが可能である。すなわち、電子機器をシャーシ１０にシャーシシールド板１１が取り付けられた状態で回路基板８を上述のように取り付けるような構成にすることにより、電子機器を、回路基板８からの不要輻射を軽減させることができ、組み立てが容易で製造コストが低いものにすることが可能となる。
【図面の簡単な説明】
【００２４】
【図１】本発明の一実施形態に係るインクジェットプリンタを示す斜視図。
【図２】（ａ）は同上プリンタの回路基板が設けられている部位の背面図、（ｂ）は（ａ）の側面図。
【図３】（ａ）は同上プリンタの回路基板が設けられている部位を背面側上方から見たときを示す斜視図、（ｂ）は同部位を前面側下方から見たときを示す斜視図。
【図４】同上プリンタの回路基板をシャーシに保持させる手順を説明する斜視図。
【００２５】
１  インクジェットプリンタ（電子機器）
２  キャリア
３ａ  プリントヘッド
４  シャフト
５  記録紙搬送機構
６  駆動機構
８  回路基板
８ａ  係合爪
８ｄ  溝部
１０  シャーシ
１０ａ  孔部
１０ｂ  スライドガイド部
１１  シャーシシールド板
１１ａ  係合孔
１１ｂ  フック
１２  ねじ
Ａ  主走査方向
Ｂ  副走査方向
Ｐ  記録紙
【図１】
2007175954.tif 000003
【図２】
2007175954.tif 000004
【図３】
2007175954.tif 000005
【図４】
2007175954.tif 000006